(57)【要約】  高精度な複合光学素子を提供するために、複数の対物レンズを備える光ピックアップ装置用の複合光学素子２０であって、第１及び第２対物レンズ部２１、２２は、射出成形用の金型のゲートに対応するゲート部２４の中心ＣＴと各対物レンズ部２１、２２の外周とを結ぶ複数の接線ＴＬ１、ＴＬ２にそれぞれ囲まれる各領域ＡＲ１、ＡＲ２が互いに独立して存在するように配列する。これにより、ゲートから各対物レンズ部２１、２２に流入する樹脂の経路を互いに独立させることができ、対物レンズ部を成形する樹脂流動の乱れを最小限にできるため、各対物レンズ部２１、２２の複屈折を低減できる。そのため、収差の小さい対物レンズを含む複合光学素子２０を一体成形することができる。
2008099631.tif 000002
【特許請求の範囲】
【請求項１】
複数の対物レンズを備える光ピックアップ装置用の複合光学素子であって、
前記複数の対物レンズは、射出成形用の金型のゲートに対応するゲート部の中心と各対物レンズの外周とを結ぶ複数の接線にそれぞれ囲まれる各領域が互いに独立して存在するように配列されていることを特徴とする複合光学素子。
【請求項２】
前記ゲートは、前記複数の対物レンズの各光軸に対して垂直な方向に設けられることを特徴とする請求の範囲第１項に記載の複合光学素子。
【請求項３】
前記ゲート部は、複合光学素子の側面側に形成されることを特徴とする請求の範囲第１項に記載の複合光学素子。
【請求項４】
前記複数の対物レンズを支持する支持部を備え、前記支持部は光ピックアップ装置のホルダに組み付ける際の位置基準面を有することを特徴とする請求の範囲第１項乃至第３項のいずれか一項に記載の複合光学素子。
【請求項５】
前記複数の対物レンズは、それぞれの開口数、対物レンズの径、及び対物レンズの面形状の少なくとも１つが異なることを特徴とする請求の範囲第１項乃至第４項のいずれか一項に記載の複合光学素子。
【請求項６】
前記複数の対物レンズの各中心は、前記ゲート部から略等距離となる位置に存在することを特徴とする請求の範囲第１項乃至第５項のいずれか一項に記載の複合光学素子。
【請求項７】
前記複数の対物レンズの各中心は、前記ゲート部を中心とした所定半径の円弧上となる位置に存在することを特徴とする請求の範囲第１項乃至第５項のいずれか一項に記載の複合光学素子。
【請求項８】
複数の対物レンズを備える光ピックアップ装置用の複合光学素子であって、
前記複数の対物レンズは、射出成形用の金型のゲートに対応するゲート部から見て、各前記複数の対物レンズの輪郭が互いに離れていることを特徴とする複合光学素子。
【請求項９】
光情報記録媒体に対して情報の読み取り又は書き込みを行うための光源と、
請求の範囲第１項乃至第８項のいずれか一項に記載の複合光学素子と、
を備えることを特徴とする光ピックアップ装置。
【請求項１０】
複数のレンズを備える複合光学素子を成形するための金型であって、
複数の第１転写光学面と、前記複数の第１転写光学面を囲む第１非光学面と、を有する第１金型部分と、
前記複数の第１転写光学面にそれぞれ対向して配置される、複数の第２転写光学面と、前記複数の第２転写光学面を囲む第２非光学面と、を有する第２金型部分と、を備え、
前記第１及び第２の金型部分によって成形されるゲートが前記第１及び第２金型部分を合わせた状態で前記第１及び第２の非光学面の縁に配置され、
前記ゲートの中心と、第１転写光学面と第２転写光学面とに挟まれる複数のレンズ空間の外周と、を結ぶ複数の接線にそれぞれ囲まれる各領域が互いに独立して存在するように配列されていることを特徴とする金型。
【請求項１１】
一対の金型の合わせ面に対応する側面側に設けられたゲートから樹脂を流入させて複数のレンズを備える複合光学素子を成形する複合光学素子の製造方法であって、
前記ゲートから前記複合光学素子への樹脂流入方向に、前記複数のレンズを見た際に、
前記複数のレンズの各輪郭が互いに離れていることを特徴とする複合光学素子の製造方法。
【発明の詳細な説明】
【技術分野】
【０００１】
本発明は、光ピックアップ装置用の複合光学素子及び光ピックアップ装置、並びに複合光学素子の成形に適する金型及び成形方法に関する。
【背景技術】
【０００２】
これまで、ＣＤ（コンパクト・ディスク）、ＤＶＤ（デジタル・バーサタイル・ディスク）等の光情報記録媒体に対して情報の再生、記録を行うための各種光ピックアップ装置が開発、製造され、一般に普及している。なお、「情報の再生、記録」とは、情報についての再生及び／又は記録を意味する。係る光ピックアップ装置に組み込まれる対物レンズとして、複数のレンズ素子を合体して一体成形した複合光学素子が存在し、この場合、複数の対物レンズを備える複合光学素子が一体成形によって小型化され組立工程も簡単なものとなる（例えば、特許文献１参照）。また、同様の複合光学素子として、複合光学素子を構成する一対のレンズ部に対して光軸に垂直な面の中心部から樹脂を注入して左右のレンズ部を対称に成形したものもある（例えば、特許文献２参照）。
【特許文献１】特開平９−１１５１７０号公報
【特許文献２】特開平７−１３０２５６号公報
【発明の開示】
【０００３】
前者の複合光学素子を射出成形する際に、金型に樹脂を流し込むゲート位置と複数の対物レンズの各光軸とを、光軸方向から見て同一直線上に配置する方法がある。しかし、ゲートを１箇所として樹脂を射出すると、例えばその同一線上にある第１対物レンズと第２対物レンズとでは、樹脂の到達時間が異なるため、各対物レンズが成形される際の樹脂の温度差が大きくなり、各対物レンズの性能を均一に得ることが難しくなる。また、ゲートから遠い側の第２対物レンズへの樹脂流入は、ゲートから近い側の第１対物レンズを介して行われるため、樹脂流動は、第１対物レンズと第２対物レンズとの境界で絞られることとなり、樹脂流動に乱れが生じ、第２対物レンズの複屈折が増大することがと考えられ、この点からも各対物レンズの性能を均一に得ることが難しくなる。
【０００４】
また、第１対物レンズ側だけでなく、第２対物レンズ側にもゲートを設け、２箇所のゲートから第１及び第２対物レンズを同時に成形する方法もある。この方法によれば、上記の悪影響を低減することはできるが、第１対物レンズと第２対物レンズとの境界にウエルド（樹脂流動の合流部）が発生する。ウエルドは、光学面に影響がない部分に発生するため、それに関して問題がないが、通常ウエルド部では機械強度が低下するため、耐衝撃性、耐熱性が劣化する恐れがある。
【０００５】
また、後者の複合光学素子のように、一対のレンズ間の中心部から光軸と平行な方向に樹脂を注入して左右のレンズ部を対称に成形した複合光学素子の場合は、樹脂流入を均一にすることができる。しかし、金型や成形工程が複雑になったり、左右のレンズ部間の距離を近づけられないため、複合光学素子のサイズが大きくなったりする。
【０００６】
そこで、本発明は、ゲートと対物レンズとの相対位置を適切に設定することによって、高精度な複合光学素子を提供することを目的とする。
【０００７】
また、本発明は、上記複合光学素子の製造方法、成形用の金型、及び上記複合光学素子を組み込んだ光ピックアップ装置を提供することを目的とする。
【０００８】
上記課題を解決するため、本発明に係る複合光学素子は、複数の対物レンズを備える光ピックアップ装置用の複合光学素子であって、複数の対物レンズは、射出成形用の金型のゲートに対応するゲート部の中心と各対物レンズの外周とを結ぶ複数の接線にそれぞれ囲まれる各領域が互いに独立して存在するように配列されている。ここで、対物レンズの外周とは、対物レンズのレンズ面（曲面）と対物レンズを支持する支持部との境界部分のことである。また、対物レンズの両面で曲面の径が異なる場合には、径の大きい方で外周を定義する。なお、対物レンズの一面は平面であってもよく、また、曲面上に光路差付与構造等の段差を有するものであってもよい。また、レンズの外周形状は、円（円弧）に限らず、矩形やその他の任意の形状でもよい。また、ここで複合光学素子におけるゲート部の中心とは、複合光学素子の成形時には少なくとも存在していたゲートの最も複合光学素子側の位置におけるゲートの先端断面形状の中心である。なお、複合光学素子は、樹脂の射出成形による一体成形により形成され、互いに光軸が異なる複数の対物レンズが並列的に配置された光学素子ということもできる。
【０００９】
上記の複合光学素子によれば、ゲートから各対物レンズに流入する樹脂の経路を互いに独立させることができ、対物レンズを成形する樹脂流動の乱れを抑制できるため、各対物レンズの複屈折を低減できる。そのため、収差の小さい対物レンズを含む複合光学素子を一体成形することができる。さらに、ゲートを一箇所とできるので、光学素子自体を分断するようなウエルドの発生を回避できる。
【００１０】
本発明の具体的な態様又は側面によれば、ゲートは、複数の対物レンズの各光軸に対して垂直な方向に設けられる。これにより、樹脂を均一に流入することができ、均一な精度の対物レンズを形成することができる。
【００１１】
本発明の別の態様によれば、ゲート部は、複合光学素子の側面側に形成される。この場合、ゲート部を複合光学素子の側面方向に設けることによって、金型の作製や成形工程を簡易にすることができる。
【００１２】
本発明のさらに別の態様によれば、複数の対物レンズを支持する支持部を備え、支持部は光ピックアップ装置のホルダに組み付ける際の位置基準面を有する。この場合、複合光学素子を取り付けるべき光ピックアップ装置のホルダへの取り付け工程が簡単で確実なものとなる。
【００１３】
本発明のさらに別の態様によれば、複数の対物レンズは、それぞれの開口数、対物レンズの径、及び対物レンズの面形状の少なくとも１つが異なる。この場合、対物レンズの開口数、開口径、及び面形状は、各対物レンズの用途に応じて変えることができる。つまり、１つの複合光学素子上に、多様な用途に対応した複数の異なる対物レンズを成形することができる。
【００１４】
本発明のさらに別の態様によれば、複数の対物レンズの各中心は、ゲート部から略等距離となる位置に存在する。この場合、ゲートから流入した樹脂の各対物レンズ部への到達時間が略一致するため、各対物レンズ収差性能を均一に得やすくすることができる。
【００１５】
本発明のさらに別の態様によれば、複数の対物レンズの各中心は、ゲート部を中心とした所定半径の円弧上となる位置に存在する。この場合、対物レンズの中心が、ゲートから等距離の位置にあることにより、ゲートから流入した樹脂の各対物レンズへの到達時間が略一致するため、各対物レンズの収差性能を均一に得やすくすることができる。
【００１６】
また、本発明に係る複合光学素子は、複数の対物レンズを備える光ピックアップ装置用の複合光学素子であって、複数の対物レンズは、射出成形用の金型のゲートに対応するゲート部から見て、各複数の対物レンズの輪郭が互いに離れている。
【００１７】
この複合光学素子によれば、ゲートから各対物レンズに流入する樹脂の経路を互いに独立させることができ、対物レンズを成形する樹脂流動の乱れを抑制できるため、各対物レンズの複屈折を低減できる。
【００１８】
また、本発明に係る光ピックアップ装置は、（ａ）光情報記録媒体に対して情報の読み取り又は書き込みを行うための光源と、（ｂ）上述の複合光学素子とを備える。
【００１９】
上記光ピックアップ装置によれば、高精度かつ高性能な複数の対物レンズを備えた複合光学素子を簡単に組み込むことができ、小型化や薄型化も実現できる低コストな光ピックアップ装置を得ることができる。また、上述の複合光学素子を用いることにより、各対物レンズで異なるスポット径等を実現することができる。そのため、情報記録面におけるスポット径の規格が異なる２種以上の光情報記録媒体に対して、簡易に情報の再生、記録を行うことができる。
【００２０】
また、本発明に係る金型は、複数のレンズを備える複合光学素子を成形するための金型であって、（ａ）複数の第１転写光学面と、複数の第１転写光学面を囲む第１非光学面と、を有する第１金型部分と、（ｂ）複数の第１転写光学面にそれぞれ対向して配置される、複数の第２転写光学面と、複数の第２転写光学面を囲む第２非光学面と、を有する第２金型部分と、を備え、（ｃ）第１及び第２の金型部分によって成形されるゲートが第１及び第２金型部分を合わせた状態で第１及び第２の非光学面の縁に配置され、（ｄ）ゲートの中心と、第１転写光学面と第２転写光学面とに挟まれる複数のレンズ空間の外周と、を結ぶ複数の接線にそれぞれ囲まれる各領域が互いに独立して存在するように配列されている。ここで、ゲートの中心とは、ゲートの最も複合光学素子側の位置におけるゲート断面形状の中心である。
【００２１】
上記金型によれば、非光学面と光学転写面の金型を複数組み合わせることにより、複数の対物レンズを有する複合光学素子を簡単に成形することができる。この際、ゲートから各対物レンズに流入する樹脂の経路を互いに独立させることができ、対物レンズを成形する樹脂流動の乱れを最小限にできるため、各対物レンズの複屈折を低減できる。
【００２２】
また、本発明に係る複合光学素子の製造方法は、一対の金型の合わせ面に対応する側面側に設けられたゲートから樹脂を流入させて複数のレンズを備える複合光学素子を成形する複合光学素子の製造方法であって、ゲートから複合光学素子への樹脂流入方向に、複数のレンズを見た際に、複数のレンズの各輪郭が互いに離れている。
【００２３】
上記成形方法によれば、各対物レンズの複屈折を低減できるので、高精度の複合光学素子を成形することができる。
【図面の簡単な説明】
【００２４】
【図１】図１（Ａ）は、第１実施形態の複合光学素子の平面図であり、図１（Ｂ）は、複合光学素子の側面図である。
【図２】図１に示す複合光学素子の変形例を示す平面図である。
【図３】図１に示す複合光学素子を備えるレンズ組立体の平面図である。
【図４】図３に示すレンズ組立体を組み込んだ光ピックアップ装置の構成を示す図である。
【図５】図５（Ａ）は、第１実施形態等の複合光学素子の金型の断面構造を説明する図であり、図５（Ｂ）は、複合光学素子の金型の平面図である。
【図６】第２実施形態の複合光学素子の構成を示す平面図である。
【図７】図５に示す複合光学素子の変形例を示す平面図である。
【図８】図５に示す複合光学素子を備えるレンズ組立体の平面図である。
【図９】第３実施形態の複合光学素子の構成を示す平面図である。
【図１０】第４実施形態の複合光学素子の構成を示す側面図である。
【図１１】図６に示す複合光学素子の変形例を示す平面図である。
【符号の説明】
【００２５】
２０、３０、４０、５０、６０、７０…複合光学素子
２１、３１、６１、７１…第１対物レンズ
２２、３２、６２、７２…第２対物レンズ
２３、３３、４３、５３、６３、７３…支持部
２４、３４、６４、７４…ゲート部
３５、６５、７５…第３対物レンズ
２００、２１０…レンズ組立体
【発明を実施するための最良の形態】
【００２６】
〔第１実施形態〕
（１）複合光学素子
本発明の第１実施形態の複合光学素子について、図面を参照しつつ説明する。なお、図１（Ａ）は、第１タイプの光ピックアップ装置用の複合光学素子を説明する平面図であり、図１（Ｂ）は、図１（Ａ）の側面図である。【００２７】
図１（Ａ）及び図１（Ｂ）に示す複合光学素子２０は、コリメートされた状態で入射する光束を比較的小径のスポットとして集光する第１対物レンズ（以下、一体成形された複合光学素子の一部を構成する部分であるため、第１対物レンズ部ともいう）２１と、コリメートされた状態で入射する光束を比較的大径のスポットとして集光する第２対物レンズ（以下、第２対物レンズ部ともいう）２２と、第１及び第２対物レンズ部２１、２２とを連結し、周囲から支持する支持部２３とを有する。複合光学素子２０は、例えばプラスチック材料から一括して成形された単一の部品であり、第１及び第２対物レンズ部２１、２２と支持部２３とが一体化されている。ここで、第１及び第２対物レンズ部２１、２２は平面視において円形の輪郭を有し、支持部２３は第１及び第２対物レンズ部２１、２２の周囲を囲んだ円形の輪郭を有する。また、複合光学素子２０は、射出成形用の金型のゲートに対応するゲート部２４をさらに側面ＳＳの１箇所に有する。なお、ゲート部２４の断面形状（側面視形状）は円形に限らず、矩形等であってもよい。【００２８】
第１及び第２対物レンズ部２１、２２は、ゲート部２４の中心ＣＴと、第１及び第２対物レンズ部２１、２２の外周とを結ぶ複数の接線ＴＬ１、ＴＬ２にそれぞれ囲まれる各領域ＡＲ１、ＡＲ２が互いに独立して存在するように配列されている。つまり、ゲート部２４の中心ＣＴと、第１対物レンズ部２１の外周に対応する境界部分２１ｃとを結ぶ複数の接線ＴＬ１に囲まれる第１領域ＡＲ１と、ゲート部２４の中心ＣＴと、第２対物レンズ部２２の外周に対応する境界部分２２ｃとを結ぶ複数の接線ＴＬ２に囲まれる第２領域ＡＲ２とは、互いに独立しており重複がない状態となっている。ここで、第１対物レンズ部２１と支持部２３との境界部分２１ｃは、第１対物レンズ部２１の光学面である光源側の面２１ａ、光ディスク側の面２１ｂの外周によって規定され、第２対物レンズ部２２と支持部２３との境界部分２２ｃは、第２対物レンズ部２２の光学面である光源側の面２２ａ、光ディスク側の面２２ｂの外周によって規定される。また、第１及び第２対物レンズ部２１、２２の中心は、ゲート部２４の中心ＣＴから支持部２３内の所定半径の仮想的な円弧上ＡＣに位置する。また、第１及び第２対物レンズ部２１、２２は、略同一平面内に配置され、各自の光軸ＯＡ１、ＯＡ２は、互いに略平行に揃えられている。【００２９】
これにより、射出成形時において、樹脂はゲートから各対物レンズ部２１、２２に対して独立した経路で流入する。この場合、対物レンズ部２１、２２を成形する樹脂流動の乱れを最小限にできるため、各対物レンズ部２１、２２上に残る複屈折を低減できる。そのため、収差の小さい対物レンズ部２１、２２を一体成形することができる。また、各対物レンズ部２１、２２の中心が、ゲート部２４から等距離の位置にあることにより、ゲート部２４から流入した樹脂の各対物レンズ部２１、２２への到達時間が略一致するため、各対物レンズ部２１、２２の収差性能を均一に得やすくすることができる。【００３０】
本実施形態の複合光学素子２０の場合、第１対物レンズ部２１と第２対物レンズ部２２の光学面の形状が異なっており、各対物レンズ部２１、２２は、開口数が異なるものとなっている。【００３１】
ゲート部２４は、各対物レンズ部２１、２２に対して各光軸ＯＡ１、ＯＡ２の垂直方向に設けられる。また、ゲート部２４は、複合光学素子２０の側面側に形成される。これにより、射出成形用の金型を簡易にすることができる。【００３２】
以上説明した複合光学素子２０は、複数種の光ディスク（不図示）のいずれかの光ディスクに対して情報の再生、記録を行うかによって、複数の対物レンズのうち対応する対物レンズが選択使用される複合対物レンズとなっている。すなわち、第１対物レンズ部２１によって、入射光を比較的小さいスポット径で不図示の光情報記録媒体である光ディスク中に設けられた情報記録面に集光することができ、第２対物レンズ部２２によって、入射光を比較的大きいスポット径で別タイプの光ディスク中に設けられた情報記録面に集光することができる。なお、この複合光学素子２０において、支持部２３は、第１及び第２対物レンズ部２１、２２を直接支持する。結果的に、第１及び第２対物レンズ部２１、２２は、各自の光軸ＯＡ１、ＯＡ２に垂直な特定平面（図１（Ａ）の紙面に平行な面）に略沿って隣接した状態で配置されることになる。【００３３】
以下、第１及び第２対物レンズ部２１、２２の機能について説明する。第１対物レンズ部２１は、ブルーレイ・ディスク（以下、を単にＢＤという）用の波長４０５ｎｍ或いは４０８ｎｍ程度のレーザ光を対象として設計されている。つまり、図１（Ｂ）に示すように、第１対物レンズ部２１の光源側の面２１ａ側から例えば光軸ＯＡ１に沿って光軸ＯＡ１に平行な波長４０５ｎｍのレーザ光束が入射すると、第１対物レンズ部２１の光ディスク側の面２１ｂ側からレーザ光束が射出されるが、このレーザ光束は、光軸ＯＡ１上の焦点位置Ｆ１（不図示のＢＤの情報記録面上）に集光し、ここに比較的小さな集光スポットを形成する。【００３４】
一方、第２対物レンズ部２２は、ＤＶＤ用の波長６５５ｎｍのレーザ光やＣＤ用の波長７８０ｎｍのレーザ光を対象として設計されている。つまり、図１（Ｂ）に示すように、第２対物レンズ部２２の光源側の面２２ａ側から例えば光軸ＯＡ２に沿って光軸ＯＡ２に平行な波長６５５ｎｍのレーザ光束が入射すると、第２対物レンズ部２２の光ディスク側の面２２ｂ側から波長６５５ｎｍのレーザ光束が射出されるが、このレーザ光束は、光軸ＯＡ２上の焦点位置Ｆ２（不図示のＤＶＤの情報記録面上）に集光し、ここに比較的大きな集光スポットを形成する。また、第２対物レンズ部２２の光源側の面２２ａ側から例えば光軸ＯＡ２に平行な波長７８０ｎｍのレーザ光束が入射すると、第２対物レンズ部２２の光ディスク側の面２２ｂ側から波長７８０ｎｍのレーザ光束が射出されるが、このレーザ光束は、光軸ＯＡ２上の焦点位置Ｆ３（不図示のＣＤの情報記録面上）に集光し、ここにＤＶＤの集光スポットよりもさらに大きい集光スポットを形成する。【００３５】
なお、各対物レンズ部２１、２２は、それぞれの開口数のみが異なる場合に限らず、各対物レンズ部２１、２２の用途に応じて開口数、レンズ径及びレンズ面形状の少なくとも１つが異なるものでもよい。図２は、図１の複合光学素子２０を変形したものであるが、複合光学素子４０は開口数だけでなく両対物レンズ部２１、２２の外周の形状が異なっている。【００３６】
また、各対物レンズ部２１、２２を支持する支持部２３の輪郭形状は、円形に限らない。すなわち、複合光学素子２０の支持部の輪郭形状は、後述する光ピックアップ装置に複合光学素子２０を組み込むべきホルダに設けた取り付け部位の形状に一致するように、任意の形状に形成することができる。例えば、図２のように、円形と矩形を折衷した形状の支持部４３のように成形することもできる。ただし、支持部の形状は、流入した樹脂の流動を阻害しないような丸形や楕円形等の樹脂がゲートから広がる形状が好ましく、製作も容易である。また、支持部が円形、楕円形の方が、複雑な形状よりも光ピックアップ装置のホルダに設けた取り付け部位に組み込みやすい。【００３７】
（２）レンズ組立体
図３は、図１に示す複合光学素子２０をホルダへ組み込んだレンズ組立体２００の構造を説明する平面図である。レンズ組立体２００は、図１に示す複合光学素子２０と、この複合光学素子２０を支持して複合光学素子２０とともに変位するホルダ部材１４０と、コイル等からなりホルダ部材１４０の側面等に固定される２つのアクチュエータ部１７１とを備える。【００３８】
ホルダ部材１４０は、プラスチック材料等から成形された部品であり、光ディスク側の面１４０ａの凹部１４２に複合光学素子２０を支持している。ホルダ部材１４０は、凹部１４２の中央に開口１４１を有しており、開口１４１の縁部分すなわち凹部１４２の段差底面１４２ａで複合光学素子２０の支持部２３をアライメントしつつ支持している。つまり、段差底面１４２ａは、複合光学素子２０をホルダ部材１４０に組み付ける際の位置基準面となっている。開口１４１の縁部分と、複合光学素子２０の支持部２３とは、例えばＵＶ硬化型の接着剤等で相互に固定されており、ホルダ部材１４０に対して複合光学素子２０をアライメントした状態で固定することができる。なお、開口１４１の形状は、支持部２３の支持を妨げず第１及び第２対物レンズ部２１、２２の光源側の面２１ａ、２２ａと干渉せず、光源側の面２１ａ、２２ａへの入射光を遮光しない範囲で自在に設計することができる。【００３９】
アクチュエータ部１７１は、ホルダ部材１４０に固定され或いはホルダ部材１４０と一体化されたコイル等からなり、磁石等からなる別のアクチュエータ部（不図示）との相互作用によって、光軸ＯＡ１、ＯＡ２に沿ったフォーカス方向や、光軸ＯＡ１、ＯＡ２に垂直なトラック方向に、ホルダ部材１４０を高速で微小変位させることができる。また、アクチュエータ部１７１は、不図示の他のアクチュエータ部によって、ホルダ部材１４０を第１及び第２対物レンズ部２１、２２とともに両対物レンズ部２１、２２が並ぶ面内のＡＢ方向に大きく移動させることができ、両対物レンズ部２１、２２の位置を光ピックアップ装置の単一の光路上に選択的に切り替えて配置することができるようになっている。【００４０】
このレンズ組立体２００において、ホルダ部材１４０の位置制御によって第１対物レンズ部２１を単一光路上の動作位置に配置した状態で、第１対物レンズ部２１にＢＤ用の波長４０５ｎｍのレーザ光を光源側から入射させた場合、第１対物レンズ部２１を経たレーザ光は、ＢＤの情報記録面（図１（Ｂ）の焦点位置Ｆ１に相当）に比較的大きな開口数０．８５で比較的小さなスポット径となるように集光される。一方、このレンズ組立体２００において、ホルダ部材１４０の位置制御によって第２対物レンズ部２２を単一光路上の動作位置に配置した状態で、この第２対物レンズ部２２にＤＶＤ用の波長６５５ｎｍのレーザ光を光源側から入射させた場合、第２対物レンズ部２２を経たレーザ光は、ＤＶＤの情報記録面（図１（Ｂ）の焦点位置Ｆ２に相当）に比較的小さな開口数０．６５で比較的大きなスポット径となるように集光される。また、第２対物レンズ部２２を単一光路上の動作位置に配置した状態で、第２対物レンズ部２２にＣＤ用の波長７８０ｎｍのレーザ光を光源側から入射させた場合、第２対物レンズ部２２を経たレーザ光は、ＣＤの情報記録面（図１（Ｂ）の焦点位置Ｆ３に相当）にさらに小さな開口数０．５３でさらに大きなスポット径となるように集光される。【００４１】
以上から明らかなように、本実施形態の複合光学素子２０やこれを組み込んだレンズ組立体２００では、仕様が異なる第１対物レンズ部２１と第２対物レンズ部２２とを隣接配置しているので、第１及び第２対物レンズ部２１、２２のいずれかを光路上の動作配置することによって、ＢＤの情報記録面と、ＤＶＤ又はＣＤの情報記録面とにおいてそれぞれ規格に適合するスポットを形成することができる。この際、第１対物レンズ部２１によってＢＤの情報記録面に形成されるスポット径は０．４１μｍ程度であり、第２対物レンズ部２２によってＤＶＤ又はＣＤの情報記録面に形成されるスポット径はそれぞれ０．８７、１．２μｍ程度である。また、以上説明した複合光学素子２０では、支持部２３によって両対物レンズ部２１、２２を支持させているので、第１対物レンズ部２１と第２対物レンズ部２２との近接配置が可能であり、いずれかの対物レンズ部２１、２２を光路上に切り替えて配置するレンズ切り替えが簡単になり、かつ、複合光学素子２０を小型化することができる。これにより、複数の対物レンズの組み込みが容易で、省電力かつ高精度の光ピックアップ装置を提供することができる。【００４２】
（３）光ピックアップ装置
図４は、図１に示す複合光学素子２０を組み込んだ光ピックアップ装置の構成を概略的に示す図である。【００４３】
この光ピックアップ装置において、各半導体レーザ１６１Ｂ、１６１Ｄ、１６１Ｃからのレーザ光は、共用の複合光学素子２０を利用して光情報記録媒体である光ディスクＤＢ、ＤＤ、ＤＣに照射され、各光ディスクＤＢ、ＤＤ、ＤＣからの反射光は、共用の複合光学素子２０を介し、最終的に各光検出器１６７Ｂ、１６７Ｄ、１６７Ｃに導かれる。なお、上述の半導体レーザ１６１Ｂ、１６１Ｄ、１６１Ｃや光検出器１６７Ｂ、１６７Ｄ、１６７Ｃのほか、偏光ビームスプリッタ１６３Ｂ、１６３Ｄ、１６３Ｃ、ダイクロイックプリズム１６４Ｄ、１６４Ｃ、シリンドリカルレンズ１６５Ｂ、１６５Ｄ、１６５Ｃ、１／４波長板１６９等を含む光学系は、各光ディスクＤＢ、ＤＤ、ＤＣに対して情報の再生、記録を行うための光学装置として機能する。【００４４】
ここで、第１光ディスクＤＢに対して情報の再生を行う際には、第１半導体レーザ１６１Ｂは、第１光ディスクＤＢの情報再生用のレーザ光（例えばＢＤ用で波長４０５ｎｍ）を発生し、このレーザ光は、第１の動作位置（実線の位置）にある複合光学素子２０の第１対物レンズ部２１で集光され、ＮＡ０．８５相当のスポットが情報記録面ＭＢ上に形成される。また、第２光ディスクＤＤに対して情報の再生を行う際には、第２半導体レーザ１６１Ｄは、第２光ディスクＤＤの情報再生用のレーザ光（例えばＤＶＤ用で波長６５５ｎｍ）を発生し、その後レーザ光は、第２の動作位置（一点鎖線の位置）にある複合光学素子２０の第２対物レンズ部２２で集光され、ＮＡ０．６５相当のスポットが情報記録面ＭＤ上に形成される。また、第３光ディスクＤＣに対して情報の再生を行う際には、第３半導体レーザ１６１Ｃは、第３光ディスクＤＣの情報再生用のレーザ光（例えばＣＤ用で波長７８０ｎｍ）を発生し、その後レーザ光は、第２の動作位置にある複合光学素子２０の第２対物レンズ部２２で集光され、ＮＡ０．５３相当のスポットが情報記録面ＭＣ上に形成される。一方、第１光検出器１６７Ｂは、第１光ディスクＤＢに記録された情報を光信号（例えばＢＤ用で波長４０５ｎｍ）として検出し、第２光検出器１６７Ｄは、第２光ディスクＤＤに記録された情報を光信号（例えばＤＶＤ用で波長６５５ｎｍ）として検出し、第３光検出器１６７Ｃは、第３光ディスクＤＣに記録された情報を光信号（例えばＣＤ用で波長７８０ｎｍ）として検出する。なお、発光する光源を第１半導体レーザ１６１Ｂから第２、第３半導体レーザ１６１Ｄ、１６１Ｃに切り替える際には、駆動装置であるアクチュエータ１７３により複合光学素子２０すなわちレンズ組立体２００をスライド移動（一点鎖線の位置）させて、第１対物レンズ部２１の代わりに第２対物レンズ部２２を光路上に配置する。【００４５】
以下、図４の光ピックアップ装置の詳細な構造や具体的な動作について説明する。まず第１光ディスクＤＢを再生する場合、第１半導体レーザ１６１Ｂから例えば波長４０５ｎｍのレーザ光が出射され、出射された光束は、コリメータ１６２Ｂにより平行光束となる。この光束は、偏光ビームスプリッタ１６３Ｂ、ダイクロイックプリズム１６４Ｄ、１６４Ｃ及び１／４波長板１６９を透過した後、複合光学素子２０のうち対応する第１対物レンズ部２１により第１光ディスクＤＢの情報記録面ＭＢに集光される。【００４６】
情報記録面ＭＢで情報ビットにより変調されて反射された光束は、再び第１対物レンズ部２１を透過して、偏光ビームスプリッタ１６３Ｂに入射し、ここで反射されてシリンドリカルレンズ１６５Ｂにより非点収差が与えられ、第１光検出器１６７Ｂ上へ入射し、その出力信号を用いて、第１光ディスクＤＢに記録された情報の読み取り信号が得られる。【００４７】
また、第１光検出器１６７Ｂ上でのスポットの形状変化、位置変化による光量変化を検出して、合焦（フォーカス）検出やトラック検出を行う。この検出に基づいて、アクチュエータ１７３が、第１半導体レーザ１６１Ｂからの光束を第１光ディスクＤＢの情報記録面ＭＢ上に結像させるように、複合光学素子２０すなわち第１対物レンズ部２１を光軸方向に移動させるとともに、この第１半導体レーザ１６１Ｂからの光束を所定のトラックに結像するように、同第１対物レンズ部２１を光軸に垂直な方向に移動させる。なお、フォーカシングやトラッキングを行うためのアクチュエータ１７３は、レンズ組立体２００のホルダ部材１４０側に取り付けられた第１のアクチュエータ部１７１と、ホルダ部材１４０や複合光学素子２０の移動を案内する支持装置１７５側に取り付けられた第２のアクチュエータ部１７２とからなり、不図示の制御装置の制御下で動作する。【００４８】
次に、第２光ディスクＤＤを再生する場合、第２半導体レーザ１６１Ｄから例えば波長６５５ｎｍのレーザ光が出射され、出射された光束は、コリメータ１６２Ｄにより平行光束となる。この光束は、偏光ビームスプリッタ１６３Ｄを透過し、ダイクロイックプリズム１６４Ｄで反射され、その後ダイクロイックプリズム１６４Ｃ等を透過した後、複合光学素子２０のうち対応する第２対物レンズ部２２により第２光ディスクＤＤの情報記録面ＭＤに集光される。【００４９】
情報記録面ＭＤで情報ビットにより変調されて反射された光束は、再び第２対物レンズ部２２を透過して、ダイクロイックプリズム１６４Ｄで反射され偏光ビームスプリッタ１６３Ｄに入射し、ここで反射されてシリンドリカルレンズ１６５Ｄにより非点収差が与えられ、第２光検出器１６７Ｄ上へ入射し、その出力信号を用いて、第２光ディスクＤＤに記録された情報の読み取り信号が得られる。【００５０】
また、第１光ディスクＤＢの場合と同様、第２光検出器１６７Ｄ上でのスポットの形状変化、つまり位置変化による光量変化を検出して、合焦検出やトラック検出を行い、アクチュエータ１７３により、フォーカシング及びトラッキングのために、複合光学素子２０すなわち第２対物レンズ部２２を移動させる。【００５１】
次に、第３光ディスクＤＣを再生する場合、第３半導体レーザ１６１Ｃから例えば波長７８０ｎｍのレーザ光が出射され、出射された光束は、コリメータ１６２Ｃにより平行光束となり、偏光ビームスプリッタ１６３Ｃを透過しダイクロイックプリズム１６４Ｃで反射された後、複合光学素子２０のうち対応する第２対物レンズ部２２により第３光ディスクＤＣの情報記録面ＭＣに集光される。【００５２】
情報記録面ＭＣで情報ビットにより変調されて反射された光束は、再び第２対物レンズ部２２を透過して、ダイクロイックプリズム１６４Ｃで反射されて偏光ビームスプリッタ１６３Ｃに入射し、ここで反射されてシリンドリカルレンズ１６５Ｃにより非点収差が与えられ、第３光検出器１６７Ｃ上へ入射し、その出力信号を用いて、第３光ディスクＤＣに記録された情報の読み取り信号が得られる。【００５３】
また、第１及び第２光ディスクＤＢ、ＤＤの場合と同様、第３光検出器１６７Ｃ上でのスポットの形状変化、つまり位置変化による光量変化を検出して、合焦検出やトラック検出を行い、アクチュエータ１７３により、フォーカシング及びトラッキングのために複合光学素子２０すなわち第２対物レンズ部２２を移動させる。【００５４】
なお、以上は光ディスクＤＢ、ＤＤ、ＤＣから情報を再生する場合の説明であったが、半導体レーザ１６１Ｂ、１６１Ｄ、１６１Ｃの出力を調整すること等により、光ディスクＤＢ、ＤＤ、ＤＣに情報を記録することもできる。【００５５】
（４）複合光学素子の成形方法
以下、図５を参照して、本実施形態に係る金型による複合光学素子の製造方法について説明する。なお、図５（Ａ）は、複合光学素子を成形するための金型の断面構造を説明する図であり、図５（Ｂ）は、図５（Ａ）の平面図である。【００５６】
図５（Ａ）の金型３００は、第１の金型９７と第２の金型９８とを備える。第１の金型９７は、対物レンズ部２１、２２の支持部２３を成形するための非光学面９５ａを有する母金型９５に、対物レンズ部２１、２２の一方の光学面、すなわち光ディスク側の面２１ｂ、２２ｂを形成するための第１転写光学面９１ａ、９２ａをそれぞれ有する子金型９１、９２をはめ込んだ構造となっている。また、第２の金型９８は、対物レンズ部２１、２２の支持部２３を成形するための非光学面９６ａを有する母金型９６に、対物レンズ部２１、２２の他方の光学面、すなわち光源側の面２１ａ、２２ａを形成するための第２転写光学面９３ａ、９４ａをそれぞれ有する子金型９３、９４をはめ込んだ構造となっている。子金型９１〜９４の母金型９５、９６へのはめ込み及び固定は、それぞれの転写光学面９１ａ〜９４ａを子金型９１〜９４の母材に対応して別々に形成した後に行われる。第１及び第２の金型９７、９８を合わせることによって形成されるゲート８３は、第１及び第２の金型９７、９８を合わせた状態で非光学面９５ａ、９６ａに作られる複合光学素子２０の支持部２３の側面ＳＳ（図１（Ｂ）参照）側に配置される。この際、ゲート８３の中心と、第１転写光学面９１ａ、９２ａと第２転写光学面９３ａ、９４ａとに挟まれる各対物レンズ部２１、２２用のレンズ空間ＣＡ１、ＣＡ２の外周と、を結ぶ各接線にそれぞれ囲まれる各領域は、互いに独立して存在するように配列されている。【００５７】
複合光学素子２０は、上記金型３００を用いて、スプルー８１からランナ８２、ゲート８３を経て樹脂を流入させて成形する。これにより、ゲート８３から見て、各対物レンズ部２１、２２の輪郭が互いに離れている複合光学素子２０を成形することができる。【００５８】
本実施形態において、複合光学素子２０は、４つの複合光学素子２０を１つの成形品として同時に製造している。つまり、成形品の中央のスプルー８１から４つのランナ８２及びゲート８３が放射状に延び、各先端に複合光学素子２０が成形されている。なお、小数の金型３００で多数のキャビティを形成して、多数の複合光学素子２０を成形する場合、ロット間でばらつきが少なく特性の揃った複合光学素子２０を安定して大量に供給することができる。なお、ランナ８２の本数やランナ８２の分岐形状は、本実施形態に限られるものではなく、任意の本数や任意形状にすることができる。【００５９】
なお、本実施形態において、成形時に形成されるゲートの一部を残した複合光学素子２０を示し、その残したゲートをゲート部２４と称した例を示したが、ゲートが全て切断された複合光学素子やゲート位置を表示する等の目的のために成形品の一部がゲートとともに切断された複合光学素子において、ゲート部とは、射出成形によって成形された際に存在していたゲートを指すものである。したがって、ゲート部は、最終製品として複合光学素子にゲート部が残っているかどうかには係わらず、成形直後に存在していたゲートを意味し、ゲート部の中心或いはゲートの中心とは、例えば図１（Ａ）に示すように複合光学素子２０を光軸方向から平面視した場合においては、複合光学素子の成形時に少なくとも存在していたゲートの最も複合光学素子側の位置におけるゲートの先端の中心ＣＴ（一般に円弧上の中心）ということができる。つまり、成形後に、成形時には存在していたゲートの全部が切断された複合光学素子にあっては、光軸方向からみた平面視において、その切断部の円弧方向の円弧の中心をゲート部の中心とし、成形後にゲートと共に複合光学素子の一部までも切断されたような複合光学素子にあっては、光軸方向からみた平面視において、その切断部を無視した複合光学素子の外形形状の延長線と、切断面の垂線との交点をゲート部の中心とする。【００６０】
〔第２実施形態〕
以下、第２実施形態に係る複合光学素子について説明する。なお、第２実施形態に係る複合光学素子３０は、第１実施形態の複合光学素子２０を変形したものであり、特に説明しない部分については、第１実施形態と同様であるものとする。【００６１】
図６は、本実施形態の複合光学素子３０の平面図である。図示の複合光学素子３０において、波長λ１の入射光束を比較的小径のスポットとして集光する第１対物レンズ部３１と、波長λ２（λ１＜λ２）の入射光束を比較的大径のスポットとして集光する第２対物レンズ部３２と、波長λ３（λ２＜λ３）の入射光束を第２対物レンズ部３２よりさらに大径のスポットとして集光する第３対物レンズ部３５と、第１、第２及び第３対物レンズ部３１、３２、３５を周囲から支持する支持部３３とを有する。ここで、第１、第２及び第３対物レンズ部３１、３２、３５は、円形となっており、支持部３３は、第１、第２及び第３対物レンズ部３１、３２、３５の周囲を囲んだ扇形の輪郭を有する。また、複合光学素子３０は、射出成形用の金型のゲートに対応するゲート部３４をさらに有する。【００６２】
第１、第２及び第３対物レンズ部３１、３２、３５の中心は、ゲート部３４から略等距離に存在する。これにより、射出成形時において、ゲートから流入した樹脂の各対物レンズ部３１、３２、３５への到達時間が略一致し、各対物レンズ部３１、３２、３５の性能を確保することができる。ここで、略等距離とは、ゲート部の中心から複数の対物レンズ部の中心までのそれぞれの距離のうち、最も長い距離をＲｍａｘとしたときに、このＲｍａｘとの差がＲｍａｘの３０％以内であることをいう。【００６３】
なお、図６の複合光学素子３０における支持部３３の形状は、第１実施形態同様、光ピックアップ装置に複合光学素子３０を組み込むべきホルダの取り付け部位の形状に一致するようなものとできる。つまり、複合光学素子３０における支持部３３の平面形状は、図示のようなものの他、例えば、図７の複合光学素子５０における支持部５３のようにすることもできる。【００６４】
以下、本実施形態におけるレンズ組立体とその駆動方法とについて説明する。図６、７で示した複合光学素子３０、５０は、図３と同様の構造を有するホルダに固定することができる。この際、複合光学素子３０、５０の光路切り替え方法は、ドラムや円盤上のホルダ部材に複合光学素子３０、５０を取り付け、ドラムや円盤の中心軸を中心にして回転させる方法を用いることができる。【００６５】
なお、複合光学素子３０、５０の光路切り替え方法は、ホルダ部材に複合光学素子３０、５０を取り付けて切り替える方法に限らない。例えば、図８は、図６に示す複合光学素子３０を組み込んだレンズ組立体２１０の構造を説明する平面図である。ここで、第２実施形態に係るレンズ組立体２１０は、第１実施形態のレンズ組立体２００の変形例であり、特に説明しない部分については、第１実施形態と同様であるものとする。【００６６】
レンズ組立体２１０は、図６に示す複合光学素子３０と、この複合光学素子３０のゲート部３４付近に取り付けられた回転軸１７６とを備える。回転軸１７６は、例えば、支持部３３に対して一体形成することができるが、別部材として作製後、接着剤等によって固定することもできる。回転軸１７６は、複合光学素子３０を回転軸１７６を中心にしてＡＢ方向に沿って回転可能に支持する。【００６７】
回転軸１７６は、アクチュエータ部１７７に取り付けられ、第１、第２及び第３対物レンズ部３１、３２、３５の光軸ＯＡ１、ＯＡ２、ＯＡ３に沿ったフォーカス方向や、光軸ＯＡ１、ＯＡ２、ＯＡ３に垂直なトラック方向に、複合光学素子３０を高速で微小変位させることができる。また、アクチュエータ部１７７によって、複合光学素子３０を第１、第２及び第３対物レンズ部３１、３２、３５とともに各対物レンズ部３１、３２、３５が並ぶ面内に沿って回転軸１７６を中心に３つの角度位置間で回動させることができ、各対物レンズ部３１、３２、３５の位置を光ピックアップ装置の単一の光路上に選択的に切り替えて配置することができる。【００６８】
〔第３実施形態〕
以下、第３実施形態に係る複合光学素子について説明する。なお、第３実施形態に係る複合光学素子６０は、第１及び第２実施形態の複合光学素子２０等を変形したものであり、特に説明しない部分については、第１及び第２実施形態と同様であるものとする。【００６９】
図９は、本実施形態の複合光学素子６０の平面図である。図示の複合光学素子６０において、入射光束を比較的小径のスポットとして集光する第１対物レンズ部６１と、入射光束を第３対物レンズ部６５より比較的大径のスポットとして集光する第２対物レンズ部６２と、入射光束を中間サイズのスポットとして集光する第３対物レンズ部６５と、第１、第２及び第３対物レンズ部６１、６２、６５とを周囲から支持する支持部６３とを有する。ここで、第１、第２及び第３対物レンズ部６１、６２、６５は、円形となっており、支持部６３は、第１、第２及び第３対物レンズ部６１、６２、６５の周囲を囲んだ方形状の輪郭を有する。また、複合光学素子６０は、射出成形用の金型のゲートに対応するゲート部６４をさらに有する。【００７０】
第１、第２及び第３対物レンズ部６１、６２、６５は、ゲート部６４から見て、第１、第２及び第３対物レンズ部６１、６２、６５の輪郭が互いに離れている。これにより、ゲートから各対物レンズ部６１、６２、６５に流入する樹脂の経路は独立しており、対物レンズを成形する樹脂流動の乱れを最小限にできるため、複屈折を低減できる。【００７１】
なお、ゲート部６４から各対物レンズ部６１、６２、６５までの距離が異なる場合、射出成形時における樹脂の各対物レンズ部までの到達距離が一致せず、ゲートから流入した樹脂の到達時間に差が出る可能性がある。この場合、樹脂の到達時間が他の対物レンズ部６１、６５と異なる第２対物レンズ部６２の形状精度がやや劣る状態で成形される可能性がある。しかし、少なくとも第１及び第３対物レンズ部６１、６５の樹脂の到達時間を一致させることで、この２つの対物レンズ部の形状精度を保つことができれば、両対物レンズ部６１、６５を高精度なレンズを必要とするＢＤと、ＨＤ  ＤＶＤと、ＤＶＤとのいずれかに用いることができる。つまり、例えば、複合光学素子６０において、ゲート部６４から略等距離に設けられ、比較的精度が高く成形できる第１及び第３対物レンズ部６１、６５はＢＤ用、ＨＤ  ＤＶＤ用、或いはＤＶＤ用として、第１及び第３対物レンズ部６１、６５と等距離に設けられていない比較的精度が低く成形される第２対物レンズ部６２はＣＤ用として用いることができる。【００７２】
本実施形態において、複合光学素子６０は、複合光学素子６０上の対物レンズ部６１、６２、６５の位置関係によって、第１或いは第２実施形態で説明したレンズ組立体２００、２１０に取り付け、対物レンズの切り替えを行う。例えば、各対物レンズ部６１、６２、６５の中心が一直線上にあるときは、レンズ組立体２００を、円弧上にあるときは、レンズ組立体２１０を用いる。
〔第４実施形態〕
以下、第４実施形態に係る複合光学素子について説明する。なお、第４実施形態に係る複合光学素子４００は、第１実施形態の複合光学素子２０を変形したものであり、特に説明しない部分については、第１実施形態と同様であるものとする。【００７３】
図１０は、本実施形態の複合光学素子４００の側面図である。図示の複合光学素子４００において、第１及び第２対物レンズ部２１、２２は、ゲートから均一に樹脂が流入する位置に配置しつつも、同一平面内に配置していない例を示したものである。図１０のように、第１及び第２対物レンズ部２１、２２は、それぞれの光軸ＯＡ１、ＯＡ２方向に各対物レンズ部２１、２２の位置をずらして配置してもよい。【００７４】
本実施形態において、複合光学素子４００は、第１実施形態で説明したレンズ組立体２００に複合光学素子４００をホルダ部材１４０の光ディスク側の面１４０ａに対して光軸ＯＡ１、ＯＡ２が垂直になるように適宜取り付ける。【００７５】
以上実施形態に即して本発明を説明したが、本発明は、上記実施形態に限定されるものではなく、様々な変形が可能である。例えば、上記第１実施形態では、第１対物レンズ部２１によりＢＤに対する情報の再生、記録を行い、第２対物レンズ部２２によりＤＶＤやＣＤに対する情報の再生、記録を行っているが、第１対物レンズ部２１によりＨＤ  ＤＶＤやＤＶＤ、ＣＤに対する情報の再生、記録を行い、第２対物レンズ部２２によりＢＤに対する情報の再生、記録を行う実施形態とすることもできる。また、第１対物レンズ部２１でＢＤの情報を、第２対物レンズ部２２でＨＤ  ＤＶＤ／ＤＶＤ／ＣＤの３種の情報を再生、記録する実施形態とすることもできる。さらに、第１対物レンズ部２１によりＨＤ  ＤＶＤに対する情報の再生、記録を行い、第２対物レンズ部２２によりＤＶＤやＣＤに対する情報の再生、記録を行う実施形態とすることもできる。さらに、第１対物レンズ部２１によりＤＶＤに対する情報の再生、記録を行い、第２対物レンズ部２２によりＣＤに対する情報の再生、記録を行う実施形態とすることもできる。また、第１対物レンズ部２１でＢＤやＨＤ  ＤＶＤの２種の情報の再生、記録を行い、第２対物レンズ部２２によりＤＶＤやＣＤの２種の情報の再生、記録を行う実施形態とすることもできる。【００７６】
上記実施形態では、光ピックアップ装置において、複合光学素子２０等をアクチュエータ１７３等で光軸に垂直な方向に移動させてレンズ切り替えを行っているが、複合光学素子２０等を移動させることなくレンズ切り替えを行ってもよい。この場合、複合光学素子２０等を構成する各対物レンズ部に個別にレーザ光を導くための光学系を設けたり、複合光学素子２０等に至る光路上にミラー等の光路切り替え手段を設けることで、レンズ切り替えをおこなうことができる。【００７７】
また、上記実施形態では、第１及び第２対物レンズ部２１、２２が異なる開口数を有するものとしたが、第１及び第２対物レンズ部２１、２２は、開口数が同じでレンズ径やレンズ面形状が異なる組み合せとすることもできる。【００７８】
また、上記実施形態では、複合光学素子２０等の成形において、射出成形時の樹脂の流入口として比較的面積の小さいゲートを設けているが、図１１で示すような複合光学素子７０の支持部７３側面側に側面全体或いは比較的面積の大きいゲートを設け、樹脂を流入させて複合光学素子７０を成形してもよい。この場合、ゲート部７４から各対物レンズ部７１、７２、７５までの樹脂到達時間を略等しくすることができる。そのため、各対物レンズ部７１、７２、７５の性能を均一に得やすくすることができる。【００７９】
また、上記実施形態では、複合光学素子２０等のゲート部２４等が一部残っているが、ゲート部２４等を完全に取り去ってしまってもよい。【００８０】
なお、本実施形態に係る複合光学素子は、複数の対物レンズ部が同形状のものであってもよいのは勿論である。
【図１】
2008099631.tif 000003
【図２】
2008099631.tif 000004
【図３】
2008099631.tif 000005
【図４】
2008099631.tif 000006
【図５】
2008099631.tif 000007
【図６】
2008099631.tif 000008
【図７】
2008099631.tif 000009
【図８】
2008099631.tif 000010
【図９】
2008099631.tif 000011
【図１０】
2008099631.tif 000012
【図１１】
2008099631.tif 000013
【国際調査報告】
2008099631.tif 000014
2008099631.tif 000015
2008099631.tif 000016
2008099631.tif 000017